(57)【要約】【課題】映像データを送信する際の通信量を抑えた上で、データセンタの操作者が映像データの有無を判断できるよう加速度を受けた状況を把握しやすくする。【解決手段】車両に搭載されるドライブレコーダ１４は、映像取得部Ｓ１１０と、通常記憶部Ｓ１２０と、圧縮記憶部Ｓ１３０、Ｓ１４０と、圧縮送信部Ｓ１６０、Ｓ１７０と、を備える。映像取得部は、撮像装置１１により撮像された映像を取得する。通常記憶部は、映像取得部により取得された映像を通常映像として記憶する。圧縮記憶部は、通常記憶部に記憶された通常映像のデータ量を圧縮した映像である圧縮映像を記憶する。圧縮送信部は、圧縮映像をあらかじめ決められた条件である送信条件が成立したと判定した場合に、当該送信条件が成立した時点を含む時間における圧縮映像を送信圧縮映像として、当該送信圧縮映像をあらかじめ決められた送信先に送信する処理である圧縮送信処理を行う。【選択図】図６
2020035014.tif 000002
【特許請求の範囲】
【請求項１】
車両に搭載されるドライブレコーダ（１４）であって、
撮像装置（１１）により撮像された映像を取得するように構成された映像取得部（Ｓ１１０）と、
前記映像取得部により取得された映像を通常映像として記憶するように構成された通常記憶部（Ｓ１２０）と、
前記通常記憶部に記憶された前記通常映像のデータ量を圧縮した映像である圧縮映像を記憶するように構成された圧縮記憶部（Ｓ１３０、Ｓ１４０）と、
前記圧縮記憶部に記憶された前記圧縮映像をあらかじめ決められた条件である送信条件が成立したと判定した場合に、当該送信条件が成立した時点を含む時間における圧縮映像を送信圧縮映像として、当該送信圧縮映像をあらかじめ決められた送信先に送信する処理である圧縮送信処理を行うように構成された圧縮送信部（Ｓ１６０、Ｓ１７０）と、
を備える、ドライブレコーダ。
【請求項２】
請求項１に記載のドライブレコーダであって、
前記車両に加えられる加速度を測定する加速度センサ（１３１）から加速度データを取得する加速度取得部（Ｓ１５０）を更に備え、
前記圧縮送信部は、前記加速度取得部により取得された加速度データがあらかじめ決められた閾値以上である場合に前記送信条件が成立したと判断するように構成された、ドライブレコーダ。
【請求項３】
請求項１又は請求項２に記載のドライブレコーダであって、
前記通常記憶部には前記通常映像を取得された時間である取得時刻が対応付けて記憶され、
あらかじめ決められた送信元から指定時間を含む送信要求を受信するように構成された通常要求受信部と、
前記通常要求受信部により前記送信要求が受信された場合、前記通常記憶部に記憶され、前記指定時間と対応する前記取得時刻における前記通常映像を送信するように構成された通常送信部（Ｓ２２０）と、
を備える、ドライブレコーダ。
【発明の詳細な説明】
【技術分野】
【０００１】
本開示は、車両に搭載されるドライブレコーダに関する。
【背景技術】
【０００２】
特許文献１には、所定の強さ以上の加速度が測定されたことをデータセンタに通知し、データセンタから送信される送信要求を受信すると、ドライブレコーダに記憶された撮像映像をデータセンタに取得させるドライブレコーダが記載されている。
【先行技術文献】
【特許文献】
【０００３】
【特許文献１】特開２０１６−２０７００６号公報
【発明の概要】
【発明が解決しようとする課題】
【０００４】
特許文献１に記載の方法では、データセンタを操作する操作者は、ドライブレコーダに撮像映像を要求するか否かを判断しなければならない。
しかし、ドライブレコーダから送られる通知のみでは、所定の強さ以上の加速度が測定された状況を把握することができない。また、当該通知と共に所定の強さ以上の加速度が測定された時刻において撮像された静止画を送信したとしても、加速度が測定された時点前後の状況が静止画ではわからないため、加速度が測定された状況が把握しにくい。このように加速度が測定された状況を適確に把握することができない。そのため、状況を適確に把握するために撮像映像の送信を要求することとなり、結果として撮像映像の送信が不要なものについてまで撮像映像の送信を要求することとなる。その結果、ドライブレコーダからデータセンタへと撮像映像を送信するための通信量が増大するという課題が発明者の詳細な検討の結果、見出された。
【０００５】
本開示の１つの局面は、加速度が測定された状況を適確に判断できることにより不要な撮像映像が要求されることを抑制し、撮像映像の送信によって通信量が増大することを抑制することにある。
【課題を解決するための手段】
【０００６】
本開示の一態様は、車両に搭載されるドライブレコーダ（１４）であって、映像取得部（Ｓ１１０）と、通常記憶部（Ｓ１２０）と、圧縮記憶部（Ｓ１３０、Ｓ１４０）と、圧縮送信部（Ｓ１６０、Ｓ１７０）と、を備える。映像取得部は、撮像装置（１１）により撮像された映像を取得するように構成される。通常記憶部は、映像取得部により取得された映像を通常映像として記憶するように構成される。圧縮記憶部は、通常記憶部に記憶された通常映像のデータ量を圧縮した映像である圧縮映像を記憶するように構成される。圧縮送信部は、圧縮記憶部に記憶された圧縮映像をあらかじめ決められた条件である送信条件が成立したと判定した場合に、当該送信条件が成立した時点を含む時間における圧縮映像を送信圧縮映像として、当該送信圧縮映像をあらかじめ決められた送信先に送信する処理である圧縮送信処理を行うように構成される。
【０００７】
このような構成によれば、当該送信条件が成立した時点を含む時間における圧縮映像を送信圧縮映像として、当該送信圧縮映像をあらかじめ決められた送信先に送信し、送信圧縮映像を取得させる。
【０００８】
このため、取得した送信圧縮映像を閲覧することにより、通知のみの場合や通知と共に静止画が送信される場合に比べ、車両が所定の強さ以上の加速度が測定された時点の状況をより適確に把握することができる。
【０００９】
これにより、ドライブレコーダに対して不要な撮像映像の送信が要求されることが抑制され、撮像映像の送信によって通信量が増大することを抑制することができる。
なお、この欄及び特許請求の範囲に記載した括弧内の符号は、一つの態様として後述する実施形態に記載の具体的手段との対応関係を示すものであって、本開示の技術的範囲を限定するものではない。
【図面の簡単な説明】
【００１０】
【図１】ドライブレコードシステムの構成を表す図である。
【図２】車載システムの構成を表す図である。
【図３】自車におけるドライブレコーダの設置イメージを表す図である。
【図４】データセンタの構成を表す図である。
【図５】制御端末の構成を表す図である。
【図６】記録送信処理を表すフローチャートである。
【図７】要求応答処理を表すフローチャートである。
【発明を実施するための形態】
【００１１】
以下、図面を参照しながら、本開示の実施形態を説明する。
［１．構成］
図１に示すドライブレコードシステム１は、複数の車載システム１０ａ〜１０ｄ、データセンタ２０及び制御端末３０を備える。複数の車載システム１０ａ〜１０ｄ及びデータセンタ２０、データセンタ２０及び制御端末３０は、互いに無線通信により通信を行う。
【００１２】
なお、複数の車載システム１０ａ〜１０ｄは、車載システム１０ごとにあらかじめ割り当てられた識別情報により区別される。
また、図１では、４つの車載システム１０ａ〜１０ｄを記載しているが、車載システムの数は４つ未満であっても、５つ以上であってもよい。以下では、車載システム１０ａ〜１０ｄは、識別情報が異なる以外はいずれも同様の構成を有するため、車載システム１０として説明する。
【００１３】
＜車載システム＞
図２に示すように、車載システム１０は、車両ごとに搭載され、カメラモジュール１１、制御センサ群１２、状態センサ群１３及びドライブレコーダ１４を備える。以下では、車載システム１０が搭載された当該車両を自車ともいう。
【００１４】
カメラモジュール１１は、上部モジュール１１１ａ、下部モジュール１１１ｂ及び車内モジュール１１２を備える。カメラモジュール１１は車載システム１０の電源がオンの間、撮像を継続する。
【００１５】
上部モジュール１１１ａ、下部モジュール１１１ｂ及び車内モジュール１１２は、例えば、カラー画像を出力するＣＣＤカメラのカメラモジュールである。
図３に示すように、上部モジュール１１１ａ及び下部モジュール１１１ｂは、フロントガラスを介して自車の前方を撮像できるように設置される。上部モジュール１１１ａ及び下部モジュール１１１ｂの撮像範囲は、自車の前方の異なる範囲を撮像するようにそれぞれ設置される。上部モジュール１１１ａは、例えば、車室内の天井付近の範囲Ｕ内の位置に設置される。下部モジュール１１１ｂは、例えば車室内のダッシュボード上の範囲Ｄ内の位置に設置される。
【００１６】
車内モジュール１１２は、例えば、自車のドライバなどの自車の内部を撮像するように車室内の天井付近の範囲Ｕ内の位置に設置される。
カメラモジュール１１は、撮像している間、上部モジュール１１１ａ、下部モジュール１１１ｂ及び車内モジュール１１２により撮像された同時刻の映像を１つの撮像映像として、常時出力する。
【００１７】
図２に示すように、制御センサ群１２は、アクセルセンサ１２１と、ブレーキセンサ１２２と、ステアリングセンサ１２３とを備え、自車のドライバによる運転操作の操作量を測定する。
【００１８】
アクセルセンサ１２１は、自車のドライバによるアクセルペダルの操作量を測定するセンサである。
ブレーキセンサ１２２は、自車のドライバによるブレーキペダルの操作量を測定するセンサである。
【００１９】
ステアリングセンサ１２３は、自車のドライバによるステアリングホイールの操作量を測定するセンサである。
状態センサ群１３は、６軸センサユニット１３１及び速度センサ１３２を備える。自車の状態を測定する。状態センサ群１３は、良好な測定結果が得られるように自車の中央付近、例えば、車室内に設置されたシフトレバーとサイドブレーキとの間のスペースなどに配置される。
【００２０】
６軸センサユニット１３１は、互いに直交する３軸の各軸に沿った方向の３つの加速度と、当該３軸の各軸を中心とする３つの回転の角速度を測定する。なお、３軸のうちの一つは自車の進行方向と一致する方向となるように配置される。なお、車両の進行方向にかかる加速度を以下では加速度Ａｘとする。
【００２１】
６軸センサユニット１３１は測定したデータを加速度データとして出力する。
速度センサ１３２は、自車の進行方向の速度を測定するセンサである。
ドライブレコーダ１４は、レコーダ映像メモリ１４１、レコーダセンサメモリ１４２、レコーダ通信モジュール１４３、レコーダＣＰＵ１４４及びレコーダ処理メモリ１４５を備える。
【００２２】
レコーダ映像メモリ１４１は、映像データを記憶するメモリであり、レコーダ通常領域１４１ａ及びレコーダ圧縮領域１４１ｂを備える。
レコーダ通常領域１４１ａは、カメラモジュール１１により出力された撮像映像を通常映像として、当該通常映像が撮像された時刻である取得時刻と対応付けて、当該通常映像を記憶する。
【００２３】
レコーダ圧縮領域１４１ｂは、カメラモジュール１１により出力された撮像映像を圧縮した映像を圧縮映像として、当該圧縮映像の元となった撮像映像が撮像された取得時刻と対応付けて、当該圧縮映像を記憶する。ここで、圧縮映像は、撮像映像の画質を粗くした映像又は、撮像映像のフレームレートを低下させた映像である。また、圧縮映像は、撮像映像の画質を粗くした上で、さらに撮像映像のフレームレートを低下させた映像であってもよい。
【００２４】
レコーダ通常領域１４１ａ及びレコーダ圧縮領域１４１ｂに記憶できるデータの容量の大きさは、同じ時間分だけ通常映像と圧縮映像とが記憶できるように設定される。例えば、レコーダ通常領域１４１ａ及びレコーダ圧縮領域１４１ｂのデータ容量の大きさの比は、通常映像と圧縮映像との圧縮比に応じてあらかじめ決められる。すなわち、通常映像が通常映像と同じ時間だけ撮像した圧縮映像の３倍のデータ量になる場合、レコーダ通常領域１４１ａに記憶できる容量の大きさはレコーダ圧縮領域１４１ｂに記憶できる容量の大きさの３倍に設定される。
【００２５】
レコーダセンサメモリ１４２は、制御センサ群１２及び状態センサ群１３により測定されたセンサの値を表すセンサ情報を、測定された時刻と対応付けて記憶する。
レコーダ通信モジュール１４３は、データセンタ２０との通信を行う通信モジュールである。レコーダ通信モジュール１４３は、データセンタ２０と通信を行う際に、車載システム１０ごとに割り当てられた識別情報を併せて送信する。
【００２６】
ドライブレコーダ１４は、レコーダＣＰＵ１４４と、例えば、ＲＡＭ又はＲＯＭ等の半導体メモリ（以下、レコーダ処理メモリ１４５）と、を有するマイクロコンピュータを備える。ドライブレコーダ１４の各機能は、レコーダＣＰＵ１４４が非遷移的実体的記録媒体に格納されたプログラムを実行することにより実現される。この例では、レコーダ処理メモリ１４５が、プログラムを格納した非遷移的実体的記録媒体に該当する。また、このプログラムが実行されることで、プログラムに対応する方法が実行される。
【００２７】
レコーダＣＰＵ１４４は後述する記録送信処理によりレコーダ通信モジュール１４３を用いて圧縮映像の一部を送信する処理を実行する。また、レコーダＣＰＵ１４４は、後述する要求応答処理によりレコーダ通信モジュール１４３を用いて指定時間に撮像された通常映像をデータセンタ２０に送信する処理を実行する。
【００２８】
なお、ドライブレコーダ１４は、カメラモジュール１１を構成する上部モジュール１１１ａ、下部モジュール１１１ｂ又は車内モジュール１１２と一体となって構成されてもよい。
【００２９】
カメラモジュール１１が撮像装置に相当し、６軸センサユニット１３１が加速度センサに相当する。
＜データセンタ＞
図４に示すように、データセンタ２０はセンタ映像メモリ２１、センタセンサメモリ２２、センタ通信モジュール２３、センタＣＰＵ２４及びセンタ処理メモリ２５を備える。
【００３０】
センタ映像メモリ２１及びセンタセンサメモリ２２は、データセンタ２０と通信する車載システム１０ごとに記憶する領域が用意される。記憶する領域の区別は、車載システム１０から送信される識別情報を元に区別される。
【００３１】
センタ映像メモリ２１は、映像データを記憶するメモリである。
センタ映像メモリ２１は、センタ通常領域２１ａ及びセンタ圧縮領域２１ｂを備え、センタ通常領域２１ａには通常映像が、センタ圧縮領域２１ｂには送信圧縮映像がそれぞれ記憶される。
【００３２】
センタセンサメモリ２２は、制御センサ群１２及び状態センサ群１３により測定されたセンサの値を表すセンサ情報を測定された時刻である測定時刻と対応付けて記憶する。
センタ通信モジュール２３は、車載システム１０との通信を行うための通信モジュールである。
【００３３】
データセンタ２０は、センタＣＰＵ２４と、例えば、ＲＡＭ又はＲＯＭ等の半導体メモリ（以下、センタ処理メモリ２５）と、を有するマイクロコンピュータを備える。データセンタ２０の各機能は、センタＣＰＵ２４が非遷移的実体的記録媒体に格納されたプログラムを実行することにより実現される。この例では、センタ処理メモリ２５が、プログラムを格納した非遷移的実体的記録媒体に該当する。また、このプログラムが実行されることで、プログラムに対応する方法が実行される。
【００３４】
センタＣＰＵ２４は、送信要求処理、転送処理、記憶処理、通知処理を行う。
送信要求処理は、センタ通信モジュール２３を用いて車載システム１０に対して送信要求を行う処理である。ここでいう送信要求とは、通常映像を送信することを要求することをいう。また、転送処理は、制御端末３０からの要求に応じてセンタ映像メモリ２１に記憶された映像データを制御装置３０に送信する処理をいう。さらに、記憶処理は、車載システム１０により送信された映像データをセンタ映像メモリ２１に記憶する処理をいう。また、通知処理は、車載システム１０から送信圧縮映像を取得した場合に、制御装置３０にセンタ通信モジュール２３を用いて、当該送信圧縮映像を取得したことを通知する処理をいう。
【００３５】
＜制御端末＞
図５に示すように、制御端末３０は、表示画面３１、端末操作装置３２、端末通信モジュール３３、端末ＣＰＵ３４及び端末メモリ３５を備える。
【００３６】
表示画面３１は、通常映像や送信圧縮映像などの映像を表示する画面である。
端末操作装置３２は、制御端末３０に対して制御端末３０の操作者が制御端末３０に入力操作を行うための装置であり、例えば、マウスやキーボードなどである。
【００３７】
端末通信モジュール３３は、データセンタ２０との通信を行うための通信モジュールである。
制御端末３０は、端末ＣＰＵ３４と、例えば、ＲＡＭ又はＲＯＭ等の半導体メモリ（以下、端末メモリ３５）と、を有するマイクロコンピュータを備える。制御端末３０の各機能は、端末ＣＰＵ３４が非遷移的実体的記録媒体に格納されたプログラムを実行することにより実現される。この例では、端末メモリ３５が、プログラムを格納した非遷移的実体的記録媒体に該当する。また、このプログラムが実行されることで、プログラムに対応する方法が実行される。
【００３８】
端末ＣＰＵ３４は、制御要求処理と、取得処理と、表示処理とを実行する。
なお、制御要求処理は、データセンタ２０に送信要求処理を実行させる処理である。また、制御要求処理には、送信要求処理において指定される時間である指定時間を設定し、設定された指定時間の情報を送信する処理が含まれる。指定時間の設定は、例えば、センタ映像メモリ２１に記憶された送信圧縮映像を指定することにより、その送信圧縮映像が撮像されている時間が指定時間として設定されてもよい。または、指定時間の設定は、例えば開始時刻と終了時刻とを定めることにより、その定められた開始時刻と終了時刻との間の時間が指定時間として設定されてもよい。
【００３９】
また、取得処理とは、データセンタ２０に記憶された通常映像及び送信圧縮映像を取得する処理をいう。表示処理とは、データセンタ２０から取得した送信圧縮映像又は通常映像を表示画面３１に映し出す処理をいう。
【００４０】
［２．処理］
＜記録送信処理＞
次にレコーダＣＰＵ１４４が実行する記録送信処理について、図６のフローチャートを用いて説明する。
【００４１】
記録送信処理は、ドライブレコーダ１４の電源がオンである間、繰り返し実行される処理である。
Ｓ１１０で、レコーダＣＰＵ１４４はカメラモジュール１１から撮像映像を取得する。
【００４２】
Ｓ１２０で、レコーダＣＰＵ１４４は、Ｓ１１０で取得された撮像映像を通常映像として、当該撮像映像の取得時刻と対応付けてレコーダ映像メモリ１４１のレコーダ通常領域１４１ａに当該通常映像を記憶させる。なお、レコーダ通常領域１４１ａのメモリ容量が通常映像で一杯になった場合には、例えば、レコーダ通常領域１４１ａに記憶されている通常映像を古い順に、新しく記憶される通常映像で上書きしてもよい。
【００４３】
Ｓ１３０で、レコーダＣＰＵ１４４は、Ｓ１１０で取得した撮像映像を元に圧縮映像を作成する。圧縮映像の作成は、撮像映像の画質を粗くすることにより作成されてもよく、撮像映像のフレームレートを低下させることにより作成されてもよい。また、圧縮映像は、撮像映像の画質を粗くした上で、さらに撮像映像のフレームレートを低下させることにより作成されてもよい。
【００４４】
Ｓ１４０で、レコーダＣＰＵ１４４は、Ｓ１３０で作成された圧縮映像の元となった撮像映像の取得時刻と対応付けて、レコーダ映像メモリ１４１のレコーダ圧縮領域１４１ｂに当該圧縮映像を記憶させる。なお、レコーダ圧縮領域１４１ｂのメモリ容量が圧縮映像で一杯になった場合には、例えば、レコーダ圧縮領域１４１ｂに記憶されている圧縮映像を古い順に、新しく記憶される圧縮映像で上書きしてもよい。
【００４５】
Ｓ１５０で、レコーダＣＰＵ１４４は、６軸センサユニット１３１により測定された加速度データが表す自車の進行方向に対する加速度Ａｘを取得する。
Ｓ１６０で、レコーダＣＰＵ１４４は、Ｓ１５０で取得した自車の進行方向に対する加速度Ａｘが加速度閾値以上であるか否かを判定する。ここで、加速度閾値とは、例えば自車が他の車両などと衝突した際に自車が受ける進行方向に対する加速度Ａｘの大きさが設定される。
【００４６】
レコーダＣＰＵ１４４は、Ｓ１５０で取得した加速度Ａｘが加速度閾値未満であると判定した場合には、記録送信処理を終了する。
一方、レコーダＣＰＵ１４４は、Ｓ１５０で取得した加速度Ａｘが加速度閾値以上であると判定した場合には、Ｓ１７０に処理を移行する。
【００４７】
Ｓ１７０で、レコーダＣＰＵ１４４は、レコーダ映像メモリ１４１のレコーダ圧縮領域１４１ｂに記憶された圧縮映像のうち、あらかじめ決められた時間幅を有する衝撃時間の圧縮映像を送信圧縮映像としてデータセンタ２０に送信する。ここで、衝撃時間は、衝撃時刻の１秒〜１０秒前である開始時刻から衝撃時刻までの時間が設定される。また、衝撃時刻とは、加速度閾値以上の加速度Ａｘが取得された時点をいう。なお、衝撃時間の開始時刻は、衝撃時刻の１秒〜１０秒前などの時刻に限定されるものではなく、衝撃時間内の自車の周辺の状況が分かる程度の長さとなるように衝撃時間が設定されればよい。
【００４８】
送信圧縮映像が送信される際には、送信圧縮映像の元となった撮像映像が撮像された時刻を付加して送信する。
Ｓ１２０が通常記憶部としての処理に相当し、Ｓ１３０及びＳ１４０が圧縮記憶部としての処理に相当し、Ｓ１５０が加速度取得部としての処理に相当し、Ｓ１６０及びＳ１７０が圧縮送信部としての処理に相当する。なお、Ｓ１５０で加速度閾値以上の加速度が取得されることが、送信条件に相当する。
【００４９】
＜要求応答処理＞
次にレコーダＣＰＵ１４４が実行する要求応答処理について、図７のフローチャートを用いて説明する。
【００５０】
要求応答処理は、レコーダＣＰＵ１４４がレコーダ通信モジュール１４３を用いて、送信要求の送信元であるデータセンタ２０から送信要求を受信した際に実行する。
Ｓ２１０で、レコーダＣＰＵ１４４は、送信要求に含まれる指定時間を取得する。
【００５１】
Ｓ２２０で、レコーダＣＰＵ１４４は、Ｓ２１０で取得した指定時間に対応する時間における通常映像をレコーダ映像メモリ１４１のレコーダ通常領域１４１ａから読み出し、レコーダ通信モジュール１４３を用いてデータセンタ２０に送信する。
【００５２】
Ｓ２３０で、レコーダＣＰＵ１４４は、センサ情報のうちＳ２２０で送信される通常映像に対応した時刻のセンサ情報を、レコーダセンサメモリ１４２から読み出し、データセンタ２０に送信する。
【００５３】
なお、要求応答処理の開始条件となる送信要求を受信する処理が通常要求受信部としての処理に相当する。また、Ｓ２２０が通常送信部としての処理に相当する。
［３．動作例］
車載システム１０は、記録送信処理において、測定された加速度があらかじめ決められた加速度閾値以上であると判定すると、加速度閾値以上の加速度を測定した時点を衝撃時刻として、当該衝撃時刻に基づいて設定された衝撃時間における圧縮映像を送信圧縮映像としてデータセンタ２０に送信する。
【００５４】
データセンタ２０は、車載システム１０から送信された送信圧縮映像を記憶する。
制御端末３０は、データセンタ２０から送信圧縮映像を取得した通知を受けた制御装置３０の操作者が、データセンタ２０に記憶された送信圧縮映像を表示する操作を行い、送信圧縮映像を閲覧することにより、送信圧縮映像が撮像された状況を確認できる。
【００５５】
送信圧縮映像が閲覧され、通常映像が必要であると判断された場合には、制御端末３０は指定時間が設定され、制御要求処理が制御端末３０により実行される。ここで、指定時間とは、送信圧縮映像が撮像された時間など幅をもった時間が設定される。
【００５６】
データセンタ２０は、制御端末３０により制御要求処理が行われることにより、車載システム１０に指定時間内の映像を含む通常映像を要求する送信要求処理が行われる。
また、データセンタ２０により送信要求処理が実行されるとデータセンタ２０から車載システム１０に送信要求が送信され、送信要求を受信した車載システム１０は要求応答処理を実行する。
【００５７】
車載システム１０は、要求応答処理を行うことにより、要求された通常映像をデータセンタ２０に取得させる。制御端末３０はデータセンタ２０が取得した通常映像を確認することで、通常映像が撮像された状況の詳細を把握することができる。
【００５８】
［４．効果］
以上詳述した実施形態によれば、以下の効果を奏する。
（１）上記実施形態によれば、加速度閾値以上の加速度を車両が受けた際に、送信圧縮映像をデータセンタ２０に送信し、データセンタ２０が当該送信圧縮映像を取得する。制御装置３０を用いて送信圧縮映像を閲覧することにより、通知のみの場合や、通知と共に静止画が送信される場合に比べ、車両が所定の強さ以上の加速度が測定された時点の状況をより適確に把握することができ、必要に応じて通常映像を要求する。
【００５９】
そのため、不要な通常映像が要求されることを抑制し、通常映像の送信によって通信量が増大することを抑制することができる。
（２）また、上記実施形態によれば、車両が加速度閾値以上の閾値を受けた場合、車載システム１０からデータセンタ２０に送信されるのは、映像であるため、静止画像が送信される場合に比べ、映像が撮像された状況、すなわち、加速度閾値以上の加速度を自車が受けた状況を適確に把握することがより容易になる。
【００６０】
（３）上記実施形態によれば、送信要求を受信した車載システム１０は、送信要求に応じて圧縮していない映像である通常映像をデータセンタ２０に送信し、データセンタ２０は送信された通常映像を記憶する。これにより、制御装置３０は、データセンタ２０に記憶された通常映像を閲覧することにより圧縮映像の場合に比べてより詳細に状況を把握することができる。
【００６１】
（４）上記実施形態によれば、要求応答処理において、Ｓ２２０で通常映像が送信されると共に、Ｓ２３０でセンサ情報が送信されるため、通常映像を閲覧する際にセンサ情報を参照することにより、車両の状態及びドライバによる操作などの状況把握をより容易にすることができる。
【００６２】
（５）上記実施形態によれば、通常映像は、送信記録処理でレコーダ通常領域１４１ａに記録される。送信記録処理は、ドライブレコーダ１４の電源がオンである間、繰り返し実行されるので、ドライブレコーダ１４の電源がオンである間、通常映像は繰り返し記録される。そのため、加速度閾値以上の加速度を検出した以外の時点においても、通常映像が記録され、要求応答処理により、データセンタ２０に通常映像を送信することができる。
【００６３】
（６）上記実施形態によれば、通常映像を記憶するレコーダ通常領域１４１ａと圧縮映像を記憶するレコーダ圧縮領域１４１ｂとの容量の大きさは、通常映像と圧縮映像との圧縮比に応じてあらかじめ決められる。これにより、レコーダ映像メモリ１４１に記憶される際に、時刻の経過に従って、レコーダ通常領域１４１ａとレコーダ圧縮領域１４１ｂとで同じ割合でデータの容量が埋まっていくため、同時刻における通常映像及び圧縮映像のいずれか一方のみがデータの上書きによって、レコーダ映像メモリ１４１に記憶されたままとなることを抑制することができる。したがって、ドライブレコーダ１４が圧縮映像に対応した通常映像を送信する送信要求を受信した際に、当該圧縮映像の元となった通常映像時間が別の通常映像に上書きされることにより送信要求を受けている通常映像を送信できないことを抑制することができる。
【００６４】
［５．他の実施形態］
以上、本開示の実施形態について説明したが、本開示は上述の実施形態に限定されることなく、種々変形して実施することができる。
【００６５】
（１）上記実施形態では、センサ情報が要求応答処理で送信されるが、センサ情報が送信される処理は要求応答処理に限定されるものではない。例えば、記録送信処理において、Ｓ１７０で送信圧縮映像を送信すると共に、送信圧縮映像に対応する映像データが撮像された時間に対応するセンサ情報が送信されてもよい。このような場合、送信圧縮映像を閲覧する際にセンサ情報を参照することにより、車両の状態及びドライバによる操作などの状況把握をより容易にすることができる。
【００６６】
（２）上記実施形態では、記録送信処理において、レコーダＣＰＵ１４４は、自車の進行方向に対する加速度である加速度Ａｘが加速度閾値以上であるか否かを基準に送信圧縮映像を送信するか否かを判定する。しかし、自車の進行方向であるＸ軸に沿った方向の加速度Ａｘを用いて判定されるものに限られない。例えば、Ｘ軸と直交するＹ軸又はＺ軸に沿った方向の加速度Ａｙ又はＡｚを用いて判定してもよい。また、判定に用いられる物理量は、加速度の限定されるものでもなくＸ軸を中心とする角速度Ｗｘ、Ｙ軸を中心とする角速度Ｗｙ又はＺ軸を中心とする角速度Ｗｚを用いてもよい。
【００６７】
（３）さらに、自車のドライバによるブレーキペダルの操作量を用いて、ブレーキペダルの操作量が一定以上だった場合に、送信圧縮映像を送信すると判定してもよい。
（４）また、自車の加速度、角速度及びブレーキペダルの操作量に基づいて導出される数値を衝撃度として、当該衝撃度があらかじめ決められた閾値以上だった場合に送信圧縮映像を送信すると判定してもよい。
【００６８】
なお、基準となる閾値の大きさは、事故が起きることが想定される数値の大きさ又は危険な運転がなされた場合に測定される程度の数値の大きさが設定されてもよい。
（５）上記実施形態では、センサ情報は、制御センサ群１２及び状態センサ群１３により測定されたセンサの値である。しかし、センサ情報は、レコーダセンサメモリ１４２に記憶されない構成であってもよい。また、車載システム１０からデータセンタ２０に送信されない構成であってもよい。さらに、センサ情報には、制御センサ群１２により測定された値及び状態センサ群１３により測定された値の一方のみであってもよい。また、制御センサ群１２を備えない構成であってもよい。
【００６９】
（６）上記実施形態では、上部モジュール１１１ａ及び下部モジュール１１１ｂの撮像範囲は、自車の前方の異なる範囲を撮像するようにそれぞれ設置される。しかし、上部モジュール１１１ａ及び下部モジュール１１１ｂの撮像範囲は自車の前方の同じ範囲を撮像するものであってもよい。当該撮像範囲が同じ範囲である場合、例えば、一方のカメラモジュールが故障などにより撮像できていなかったとしても、他方のカメラモジュールで撮像できていれば、当該撮像範囲を撮像した映像を記憶することができる。
【００７０】
（７）また、上記実施形態では、上部モジュール１１１ａ及び下部モジュール１１１ｂはそれぞれ、車室内の天井付近の範囲Ｕ内の位置、車室内のダッシュボード上の範囲Ｄ内の位置に設置される。しかし、上部モジュール１１１ａ及び下部モジュール１１１ｂが設置される位置は、これらの範囲内に設置されるものに限定されるものではなく、自車の前方を撮像する位置に配置されていればよい。また、上部モジュール１１１ａ及び下部モジュール１１１ｂの少なくとも一方が、自車の側方や自車の後方など、自車の前方以外の自車の周囲を撮像する位置に配置されてもよい。
【００７１】
（８）さらに、上記実施形態では、カメラモジュール１１のうち、車両の周囲を撮像するカメラモジュールは上部モジュール１１１ａ及び下部モジュール１１１ｂの二つであるが、車両の周囲を撮像するカメラモジュールの数は一つであっても三つ以上であってもよい。
【００７２】
（９）上記実施形態では、通常映像を記憶するレコーダ通常領域１４１ａと圧縮映像を記憶するレコーダ圧縮領域１４１ｂとの容量の大きさは、通常映像と圧縮映像との圧縮比に応じてあらかじめ決められる。しかしレコーダ通常領域１４１ａ及びレコーダ圧縮領域１４１ｂの容量の大きさはこのように定められるものに限られない。例えば、圧縮比にかかわらず、あらかじめレコーダ通常領域１４１ａの容量をレコーダ圧縮領域１４１ｂの容量より大きくなるように設定されていてもよい。
【００７３】
（１０）上記実施形態では、衝撃時間は、衝撃時刻から数秒前から衝撃時刻までの時間が設定される。しかしながら、衝撃時間は、当該時間に限定されるものではない。例えば、衝撃時刻の数秒前から、衝撃時刻の数秒後までの時間が衝撃時間として設定されてもよい。
【００７４】
（１１）上記実施形態では、ドライブレコーダ１４、データセンタ２０及び制御端末３０はそれぞれマイクロコンピュータを備えるが、ドライブレコーダ１４、データセンタ２０及び制御端末３０は、１つのマイクロコンピュータを備えてもよいし、複数のマイクロコンピュータを備えてもよい。
【００７５】
ドライブレコーダ１４、データセンタ２０及び制御端末３０に含まれる各部の機能を実現する手法はソフトウェアに限るものではなく、その一部又は全部の機能は、一つあるいは複数のハードウェアを用いて実現されてもよい。例えば、上記機能がハードウェアである電子回路によって実現される場合、その電子回路は、デジタル回路、又はアナログ回路、あるいはこれらの組合せによって実現されてもよい。
【００７６】
（１２）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【００７７】
（１３）上述したドライブレコーダ１４の他、当該ドライブレコーダ１４を構成要素とするシステム、当該ドライブレコーダ１４としてコンピュータを機能させるためのプログラム、このプログラムを記録した半導体メモリ等の非遷移的実態的記録媒体、ドライブレコーダ１４が行う処理に相当する運転状況の記録方法など、種々の形態で本開示を実現することもできる。
【符号の説明】
【００７８】
１…ドライブレコードシステム、１０，１０ａ〜１０ｄ…車載システム、１１…カメラモジュール、１２…制御センサ群、１３…状態センサ群、１４…ドライブレコーダ、２０…データセンタ、２１…センタ映像メモリ、２２…センタセンサメモリ、２３…センタ通信モジュール、２４…センタＣＰＵ、２５…センタ処理メモリ、３０…制御端末、１１１ａ…上部モジュール、１１１ｂ…下部モジュール、１１２…車内モジュール、１２１…アクセルセンサ、１２２…ブレーキセンサ、１２３…ステアリングセンサ、１３１…６軸センサユニット、１３２…速度センサ、１４１…レコーダ映像メモリ、１４１ａ…レコーダ通常領域、１４１ｂ…レコーダ圧縮領域、１４２…レコーダセンサメモリ、１４３…レコーダ通信モジュール、１４４…レコーダＣＰＵ、１４５…レコーダ処理メモリ、Ｄ，Ｕ…範囲。
【図１】
2020035014.tif 000003
【図２】
2020035014.tif 000004
【図３】
2020035014.tif 000005
【図４】
2020035014.tif 000006
【図５】
2020035014.tif 000007
【図６】
2020035014.tif 000008
【図７】
2020035014.tif 000009